(57)【要約】【課題】例えば電源を切断するべきではない状況を把握して、オートパワーオフの実行を設定時刻よりも遅らせることができるといった、設定時刻に所定の機能が実行されることを保留できる携帯端末を提供する。【解決手段】ユーザは携帯端末１ａのキー操作部１４ａを用いて、所定の機能を実行する実行希望時刻と実行希望位置情報とを入力する。現在時刻が実行希望時刻と一致する場合、制御部１０ａは位置情報取得部１９ａを用いて現在の携帯端末１ａの位置情報を取得し、実行希望の位置情報と比較する。現在位置と実行希望位置情報とが一致した場合、制御部１０ａは携帯端末１ａが他の機能の実行処理を行っているか否かを確認する。他の機能の実行処理を行っている場合、処理が終了するまで所定の実行を保留する。いずれの処理も行っていない場合、制御部１０ａは電源を切断する。【選択図】      図１
2004312619.tif 000002
【特許請求の範囲】
【請求項１】
無線通信を行う携帯端末において、
ユーザが設定した所定の位置を記憶する位置記憶手段と、
前記携帯端末の現在位置を取得する位置情報取得手段と、
ユーザが設定した時刻を記憶する時刻記憶手段と、
前記時刻記憶手段によって記憶された時刻になった時、前記位置記憶手段によって記憶した所定の位置と、前記位置情報取得手段によって取得した前記携帯端末の現在位置とを照合する位置照合手段と、
前記位置照合手段により照合した結果、該位置が一致した場合、前記携帯端末の所定の機能を実行する実行手段と
を有する携帯端末。
【請求項２】
無線通信を行う携帯端末と、前記携帯端末と近距離無線通信を行う第１の通信手段を有する機器とで構成される通信システムにおける携帯端末において、
近距離無線通信を行う第２の通信手段と、
ユーザが設定した時刻を記憶する時刻記憶手段と、
前記時刻記憶手段によって記憶された時刻になった時、前記第２の通信手段により前記第１の通信手段を有する前記機器と近距離無線接続が可能か否かを判断する第１の判断手段と、
前記第１の判断手段により前記携帯端末と前記充電器とが近距離無線接続が可能と判断した場合、前記携帯端末の所定の機能を実行する実行手段とを有する
ことを特徴とする携帯端末。
【請求項３】
無線通信を行う携帯端末であって、該携帯端末専用の充電器により充電される携帯端末において、
前記充電器との接続を識別する充電器接続識別手段と、
ユーザが設定した時刻を記憶する時刻記憶手段と、
前記時刻記憶手段によって記憶された時刻になった時、前記充電器接続識別手段により前記充電器と接続されているか否か判断する第２の判断手段と、
前記第２の判断手段により前記充電器と接続されていると判断した場合、前記携帯端末の所定の機能を実行する実行手段と
を有する携帯端末。
【請求項４】
前記実行手段が実行する所定の機能は、前記携帯端末の電源を自動的に切断する機能であることを特徴とする請求項１から３記載の携帯端末。
【請求項５】
前記実行手段は、前記携帯端末の他の機能が実行されているとき、当該他の機能の実行処理が終了するのを待って、前記所定の機能を実行する
ことを特徴とする請求項１から３記載の携帯端末。
【発明の詳細な説明】
【０００１】
【発明の属する技術分野】
本発明は、設定した時刻になると自動的に電源を切断する等のスケジュール機能を有する携帯端末に関する。
【０００２】
【従来の技術】
例えば、ユーザが設定した時刻になると自動的に電源を切断する「オートパワーオフ機能」を有する携帯端末が知られている。オートパワーオフ機能を設定する際、ユーザは、日付、時間を指定して１回のみ実行させる場合と、時間を指定して毎日同時刻に実行させる場合とのどちらかを選択できる。ユーザが通話、Ｗｅｂブラウザ起動、Ｊａｖａ（登録商標）アプリケーション起動などで携帯端末を使用、操作している最中にオートパワーオフの設定時刻になった場合は、例外処理として通話やユーザの操作が終了するまで電源オフの実行を遅らせるものもある。
また、就寝中や会議中などのスケジュールを設定し、そのスケジュールに基づいて電源を自動的にオフするものもある（例えば、特許文献１参照）。
【０００３】
【特許文献１】
特開２００２−７７３７９号公報
【０００４】
【発明が解決しようとする課題】
しかしながら、ユーザは常に規則正しくスケジュール通りに生活を行える訳ではないので、オートパワーオフを設定した時刻になっても、スケジュールの遅れや変更などにより電源を切断するべきでない状況が起こり得る。
この発明はこのような点に鑑みてなされたもので、スケジュール機能を実行するべきではない状況を把握して、その実行を設定時刻よりも遅らせることができる携帯端末を提供することを目的としている。
【０００５】
【課題を解決するための手段】
上記した目的を達成するために、請求項１記載の携帯端末は、無線通信を行う携帯端末において、ユーザが設定した所定の位置を記憶する位置記憶手段と、前記携帯端末の現在位置を取得する位置情報取得手段と、ユーザが設定した時刻を記憶する時刻記憶手段と、前記時刻記憶手段によって記憶された時刻になった時、前記位置記憶手段によって記憶した所定の位置と、前記位置情報取得手段によって取得した前記携帯端末の現在位置とを照合する位置照合手段と、前記位置照合手段により照合した結果、該位置が一致した場合、前記携帯端末の所定の機能を実行する実行手段とを有する。
【０００６】
請求項２記載の携帯端末は、無線通信を行う携帯端末と、前記携帯端末と近距離無線通信を行う第１の通信手段を有する機器とで構成される通信システムにおける携帯端末において、近距離無線通信を行う第２の通信手段と、ユーザが設定した時刻を記憶する時刻記憶手段と、前記時刻記憶手段によって記憶された時刻になった時、前記第２の通信手段により前記第１の通信手段を有する前記機器と近距離無線接続が可能か否かを判断する第１の判断手段と、前記第１の判断手段により前記携帯端末と前記充電器とが近距離無線接続が可能と判断した場合、前記携帯端末の所定の機能を実行する実行手段とを有する。
【０００７】
請求項３記載の携帯端末は、無線通信を行う携帯端末であって、該携帯端末専用の充電器により充電される携帯端末において、前記充電器との接続を識別する充電器接続識別手段と、ユーザが設定した時刻を記憶する時刻記憶手段と、前記時刻記憶手段によって記憶された時刻になった時、前記充電器接続識別手段により前記充電器と接続されているか否か判断する第２の判断手段と、前記第２の判断手段により前記充電器と接続されていると判断した場合、前記携帯端末の所定の機能を実行する実行手段とを有する。
【０００８】
請求項４記載の発明は、請求項１から３に記載された携帯端末において、前記実行手段が実行する所定の機能は、前記携帯端末の電源を自動的に切断する機能であることを特徴とする。
【０００９】
請求項５記載の発明は、請求項１から３に記載された携帯端末において、前記実行手段は、前記携帯端末の他の機能が実行されているとき、当該他の機能の実行処理が終了するのを待って、前記所定の機能を実行することを特徴とする。
【００１０】
【発明の実施の形態】
以下、図面を参照して本発明の実施の形態を説明する。
図１は、本発明の第１の実施形態に係る携帯端末１ａの概略構成を示すブロック図である。１０ａは制御部（位置照合手段、実行手段）であり、携帯端末１ａの各部を制御する。１１ａは画面表示部、１２ａは音声出力部、１３ａは音声入力部、１４ａはキー操作部である。１５ａは無線通信部であり、無線基地局２と無線接続する。１６ａは着信通知部であり、音声やバイブレータによる通知を行う。１７ａは時計・タイマ部、１８ａは地図情報を格納しているメモリ部（位置記憶手段、時刻記憶手段）である。１９ａは位置情報取得部（位置情報取得手段）であり、ＧＰＳ機能を用いて現在の位置を取得する。
無線基地局２は、通信網Ｎに接続し、他の端末やサーバなどと通信を行う。
【００１１】
次に、上記構成の携帯端末１ａの動作について図２を参照して説明する。ユーザはキー操作部１４ａを用いて、オートパワーオフを行う実行希望時刻を入力する。次に、ユーザはキー操作部１４ａを用いて、オートパワーオフを行う実行希望場所の位置情報を入力する。次に、ユーザはキー操作部１４ａの所定のキーを押下してオートパワーオフ機能を設定する。制御部１０ａは、入力された実行希望時刻と、実行希望場所の位置情報をメモリ部１８ａに格納する。
次に制御部１０ａは、時計・タイマ部１７ａを用いて、現在の時刻を確認する（ステップＳａ１）。現在時刻がメモリ部１８ａに格納されている実行希望時刻と一致する場合（ステップＳａ３で「Ｙｅｓ」）、制御部１０ａはメモリ部１８ａに実行希望場所が格納されているか否か確認する（ステップＳａ５）。メモリ部１８ａに実行希望場所が格納されていない場合は（ステップＳａ５で「Ｎｏ」）、ステップＳａ１３の処理に移る。
【００１２】
メモリ部１８ａに実行希望場所が格納されている場合（ステップＳａ５で「Ｙｅｓ」）、制御部１０ａは位置情報取得部１９ａを用いて携帯端末１ａの現在の位置情報を取得する（ステップＳａ７）。次に制御部１０ａは、ステップＳａ７で取得した現在の位置情報と、実行希望場所の位置情報とを比較する（ステップＳａ９）。比較した結果、現在位置と実行希望場所が一致した場合（ステップＳａ１１で「Ｙｅｓ」）、制御部１０ａは携帯端末１ａが通信中、またはブラウザ起動中、またはＪａｖａ（登録商標）アプリケーション起動中等のいずれかの他の機能の実行処理を行っているか否かを確認する（ステップＳａ１３）。上述した処理のうちいずれかを行っている場合（ステップＳａ１３で「Ｙｅｓ」）、処理が終了するまでオートパワーオフ機能の実行を保留する。いずれの処理も行っていない場合（ステップＳａ１３で「Ｎｏ」）、制御部１０ａは電源オフの処理を行う（ステップＳａ１５）。
【００１３】
現在位置と実行希望場所とが不一致の場合（ステップＳａ１１で「Ｎｏ」）、制御部１０ａはオートパワーオフ機能の実行を保留し、時計・タイマ部１７ａを用いて再確認用のタイマをスタートさせる（ステップＳａ１７）。所定時間が経過して再確認用タイマがタイムアップすると（ステップＳａ１９で「Ｙｅｓ」）、制御部１０ａはステップＳａ７の処理に戻り、上述の処理を再び実行する。
【００１４】
次に、本発明の第２の実施形態に係る携帯端末１ｂの概略構成を示すブロック図を図３に示す。制御部１０ｂ（第１の判断手段、実行手段）、画面表示部１１ｂ、音声出力部１２ｂ、音声入力部１３ｂ、キー操作部１４ｂ、無線通信部１５ｂ、着信通知部１６ｂ、時計・タイマ部１７ｂ、メモリ部１８ｂ（時刻記憶手段）は、第１の実施形態における携帯端末１ａの構成と同様である。
１９ｂは近距離無線通信部（第２の通信手段）であり、Ｂｌｕｅｔｏｏｔｈ（登録商標）やＩＥＥＥ８０２．１１ａ規格等の近距離無線通信機能が備えられている。ここでいう近距離とは、例えば数ｃｍ〜数ｍ以内とする。
無線基地局２は、通信網Ｎに接続し、他の端末やサーバなどと通信を行う。
充電器３ｂは、携帯端末１ｂ専用の充電器であり、Ｂｌｕｅｔｏｏｔｈ（登録商標）やＩＥＥＥ８０２．１１ａ規格等の近距離無線通信機能（第１の通信手段）が備えられている。そして、通信信号に所定の識別コードを含ませ、携帯端末１ｂの近距離無線通信部１９ｂと通信を行うことが可能である。
【００１５】
次に、上記構成の携帯端末１ｂの動作について図４を参照して説明する。ユーザはキー操作部１４ｂを用いて、実行希望時刻を入力し、オートパワーオフ機能を設定する。制御部１０ｂは、入力された実行希望時刻をメモリ部１８ｂに格納する。また、ユーザはオートパワーオフ機能の実行制限条件として、「周囲に充電器が存在する」をキー操作部１４ｂで選択して設定する。制御部１０ｂは、選択された実行制限条件をメモリ部１８ｂに格納する。
次に制御部１０ｂは、時計・タイマ部１７ｂを用いて、現在の時刻を確認する（ステップＳｂ１）。現在時刻が実行希望時刻と一致する場合（ステップＳｂ３で「Ｙｅｓ」）、制御部１０ｂはメモリ部１８ｂを参照して、実行制限条件の指定がされているか否か確認する（ステップＳｂ５）。実行制限条件の指定がない場合は（ステップＳｂ５で「Ｎｏ」）、ステップＳｂ１１の処理に移る。
【００１６】
実行制限条件の指定がある場合（ステップＳｂ５で「Ｙｅｓ」）、制御部１０ｂはその制限条件に従って処理をする。本実施形態では、実行制限条件として、「周囲に充電器が存在する」を設定しているので、制御部１０ｂは近距離無線通信部１９ｂを用いて受信電波中に所定の識別コードが含まれているか否かを判定することによって、携帯端末１ｂ周辺の通信可能な端末を検索する（ステップＳｂ７）。検索した結果、周辺に充電器３ｂが存在した場合（ステップＳｂ９で「Ｙｅｓ」）、制御部１０ｂは携帯端末１ｂが通信中、またはブラウザ起動中、またはＪａｖａ（登録商標）アプリケーション起動中等のいずれかの他の機能の実行処理を行っているか否かを確認する（ステップＳｂ１１）。上述した処理のうちいずれかを行っている場合（ステップＳｂ１１で「Ｙｅｓ」）、処理が終了するまでオートパワーオフ機能の実行を保留する。いずれの処理も行っていない場合（ステップＳｂ１１で「Ｎｏ」）、制御部１０ｂは電源オフの処理を行う（ステップＳｂ１３）。
【００１７】
周辺に充電器３が存在しない場合（ステップＳｂ９で「Ｎｏ」）、制御部１０ｂはオートパワーオフ機能の実行を保留し、時計・タイマ部１７ｂを用いて再確認用のタイマをスタートさせる（ステップＳｂ１５）。所定時間が経過して再確認用タイマがタイムアップすると（ステップＳｂ１７で「Ｙｅｓ」）、制御部１０ｂはステップＳｂ７の処理に戻り、上述の処理を再び実行する。
【００１８】
次に、本発明の第３の実施形態に係る携帯端末１ｃの概略構成を示すブロック図を図５に示す。制御部１０ｃ（第２の判断手段、実行手段）、画面表示部１１ｃ、音声出力部１２ｃ、音声入力部１３ｃ、キー操作部１４ｃ、無線通信部１５ｃ、着信通知部１６ｃ、時計・タイマ部１７ｃ、メモリ部１８ｃ（時刻記憶手段）は、第１の実施形態における携帯端末１ａ、または第２の実施形態における携帯端末１ｂの構成と同様である。
１９ｃは充電器接続識別部（充電器接続識別手段）であり、携帯端末１ｃ専用の充電器に接続中か否かを検出する。検出機能は、機械的スイッチを用いて充電器へ装着がされるとスイッチが入るようにする機械的方式、あるいは充電端子同士の接続によるインピーダンスの変化を検出する電気的方式、あるいは充電中であることを検出する方式のいずれでもよい。
無線基地局２は、通信網Ｎに接続し、他の端末やサーバなどと通信を行う。
充電器３ｃは、携帯端末１ｃ専用の充電器である。
【００１９】
次に、上記構成の携帯端末１ｃの動作について図６を参照して説明する。ユーザはキー操作部１４ｃを用いて、オートパワーオフ機能を設定し、実行希望時刻を入力する。制御部１０ｃは、入力された実行希望時刻をメモリ部１８ｃに格納する。また、ユーザはオートパワーオフ機能の実行制限条件として、「充電器に接続中」をキー操作部１４ｃで選択して設定する。制御部１０ｃは、選択された実行制限条件をメモリ部１８ｃに格納する。
次に制御部１０ｃは、時計・タイマ部１７ｃを用いて、現在の時刻を確認する（ステップＳｃ１）。現在時刻が実行希望時刻と一致する場合（ステップＳｃ３で「Ｙｅｓ」）、制御部１０ｃはメモリ部１８ｃを参照して、実行制限条件の指定がされているか否か確認する（ステップＳｃ５）。実行制限条件の指定がない場合は（ステップＳｃ５で「Ｎｏ」）、ステップＳｃ１１の処理に移る。
【００２０】
実行制限条件の指定がある場合（ステップＳｃ５で「Ｙｅｓ」）、制御部１０ｃはその制限条件に従って処理をする。本実施形態では、実行制限条件として、「充電器に接続中」を設定しているので、制御部１０ｃは充電器接続識別部１９ｃを用いて携帯端末１ｃが充電器３ｃに接続されているか確認する（ステップＳｃ７）。充電器接続識別部１９ｃが充電器３ｃとの接続を認識した場合（ステップＳｃ９で「Ｙｅｓ」）、制御部１０ｃは携帯端末１ｃが通信中、またはブラウザ起動中、またはＪａｖａ（登録商標）アプリケーション起動中等のいずれかの他の機能の実行処理を行っているか否かを確認する（ステップＳｃ１１）。上述した処理のうちいずれかを行っている場合（ステップＳｃ１１で「Ｙｅｓ」）、処理が終了するまでオートパワーオフ機能の実行を保留する。いずれの処理も行っていない場合（ステップＳｃ１１で「Ｎｏ」）、制御部１０ｃは電源オフの処理を行う（ステップＳｃ１３）。
【００２１】
充電器接続識別部１９ｃが充電器３ｃとの接続を認識しない場合（ステップＳｃ９で「Ｎｏ」）、制御部１０ｃはオートパワーオフ機能の実行を保留し、時計・タイマ部１７ｃを用いて再確認用のタイマをスタートさせる（ステップＳｃ１５）。所定時間が経過して再確認用タイマがタイムアップすると（ステップＳｃ１７で「Ｙｅｓ」）、制御部１０ｃはステップＳｃ７の処理に戻り、上述の処理を再び実行する。
【００２２】
以上説明したように、第１の実施形態によれば、位置情報から携帯端末の現在位置を取得し、オートパワーオフ機能を実行するか否か判断するので、オートパワーオフ機能を設定した時刻において、携帯端末が実行希望場所にない場合には、電源オフの処理を保留することができる。
また、第２、第３の実施形態によれば、携帯端末が充電器と近距離無線通信または接続を行っている場合を認識して電源オフの処理を行うので、例えば家に充電器があり、ユーザが携帯端末を所持して外出中の場合は、オートパワーオフ機能を設定した時刻になっても電源オフの処理を保留することができる。
【００２３】
以上、本発明の実施形態について図面を参照して詳述してきたが、具体的な構成はこの実施形態に限られるものではなく、本発明の要旨を逸脱しない範囲の設計変更等も含まれる。
【００２４】
例えば、上記実施形態における携帯電話機の代わりに、無線通信機能を備えた携帯型パーソナル・コンピュータ又はＰＤＡ（Ｐｅｒｓｏｎａｌ  Ｄｉｇｉｔａｌ  Ａｓｓｉｓｔａｎｃｅ）に本発明を適用してもよい。
例えば、上記実施形態では所定の機能の例として電源のオートパワーオフ機能を説明したが、オートパワーオフ機能の代わりに、設定時刻に所定のメッセージをメール送信するオートメール機能等、設定時刻になると自動的に処理を実行する種々の機能の本発明を適用してもよい。
また、例えば上記実施形態では、オートパワーオフ機能を実行するにあたり、通信中などの他の機能が実行中の場合には、他の機能の実行処理が終了するのを待ってオートパワーオフ機能の実行を行うが、他の機能の終了を待つことなくオートパワーオフ機能等の所定の機能を実行するようにしてもよい。
また、例えば上記第２の実施形態では、充電器が近距離通信手段を備えるが、充電器の代わりに、パソコン等近距離無線通信手段を備える他の機器であってもよいし、近距離無線通信専用に構成された専用機器であってもよい。
【００２５】
【発明の効果】
以上の説明で明らかなように、本発明によれば、ユーザが設定した時刻において実行される所定の機能を、所定の設定した時刻においてその実行を保留することができる。
【図面の簡単な説明】
【図１】本発明の第１の実施形態に係る携帯端末１ａの概略構成を示すブロック図である。
【図２】同実施形態における第１の実施形態の動作を示すフローチャートである。
【図３】本発明の第２の実施形態に係る携帯端末１ｂの概略構成を示すブロック図である。
【図４】同実施形態における第２の実施形態の動作を示すフローチャートである。
【図５】本発明の第３の実施形態に係る携帯端末１ｃの概略構成を示すブロック図である。
【図６】同実施形態における第３の実施形態の動作を示すフローチャートである。
【符号の説明】
１ａ、１ｂ、１ｃ…携帯端末、２…無線基地局、３ｂ、３ｃ…充電器、１１ａ、１１ｂ、１１ｃ…画面表示部、１２ａ、１２ｂ、１２ｃ…音声出力部、１３ａ、１３ｂ、１３ｃ…音声入力部、１４ａ、１４ｂ、１４ｃ…キー操作部、１５ａ、１５ｂ、１５ｃ…無線通信部、１６ａ、１６ｂ、１６ｃ…着信通知部、１７ａ、１７ｂ、１７ｃ…時計・タイマ部、１８ａ、１８ｂ、１８ｃ…メモリ部、１９ａ…位置情報取得部、１９ｂ…近距離無線通信部、１９ｃ…充電器接続識別部
【図１】
2004312619.tif 000003
【図２】
2004312619.tif 000004
【図３】
2004312619.tif 000005
【図４】
2004312619.tif 000006
【図５】
2004312619.tif 000007
【図６】
2004312619.tif 000008